(57)【要約】【課題】エンドユーザからの不要な問合せを低減し、印刷媒体の供給元から、管理情報の印刷に対する了承を得やすくする。【解決手段】管理情報の印刷方法は、単独で個人情報を特定できない管理情報であって、生産管理に利用される管理情報を一部に含むＵＲＬ（Ｕｎｉｆｏｒｍ  Ｒｅｓｏｕｒｃｅ  Ｌｏｃａｔｏｒ）を示す情報を、印刷媒体に印刷することを特徴とする。管理情報の印刷方法は、前記ＵＲＬを示す情報として、二次元コードを印刷媒体に印刷する。【選択図】図３
2017102779.tif 000002
【特許請求の範囲】
【請求項１】
単独で個人情報を特定できない管理情報であって、生産管理に利用される管理情報を一部に含むＵＲＬ（Ｕｎｉｆｏｒｍ  Ｒｅｓｏｕｒｃｅ  Ｌｏｃａｔｏｒ）を示す情報を、印刷媒体に印刷する
ことを特徴とする管理情報の印刷方法。
【請求項２】
前記ＵＲＬを示す情報として、二次元コードを印刷媒体に印刷する
ことを特徴とする請求項１に記載の管理情報の印刷方法。
【請求項３】
前記ＵＲＬは、前記印刷媒体に対応するＷｅｂページへリダイレクトするリダイレクトサーバにアクセスするＵＲＬである
ことを特徴とする請求項１又は請求項２に記載の管理情報の印刷方法。
【発明の詳細な説明】
【技術分野】
【０００１】
本発明は、管理情報の印刷方法に関する。
【背景技術】
【０００２】
近年、ダイレクトメールやチラシなどの印刷媒体に、顧客の個人情報を含む情報（例えば、二次元コード）を印刷する技術が知られている（例えば、特許文献１を参照）。また、一方で、印刷媒体に対して、例えば、ロット番号などの管理情報を印刷し、発送先の確認などの生産管理に利用することが行われている。また、このような管理情報を印刷媒体に印刷する場合、従来の管理情報の印刷方法では、印刷媒体に管理情報を直接印刷する方法や、管理情報を含む二次元コードなどを印刷する方法が行われている。
【先行技術文献】
【特許文献】
【０００３】
【特許文献１】特開平１１−２６８４５２号公報
【発明の概要】
【発明が解決しようとする課題】
【０００４】
しかしながら、従来の管理情報の印刷方法では、印刷媒体を受け取ったエンドユーザが、印刷されている管理情報を見て、個人情報を含んでいないか不安に感じることがあり、印刷媒体の供給元に、エンドユーザから個人情報の流出を懸念した問合せが行われることがあった。このような不要な問合せが大量に発生すると、本来の業務に支障を来たす場合があるため、印刷媒体の供給元は、印刷媒体に管理情報を印刷することに難色を示す場合があった。
【０００５】
本発明は、上記のような状況に鑑みてなされたものであり、その目的は、エンドユーザからの不要な問合せを低減させることができ、印刷媒体の供給元から、管理情報の印刷に対する了承を得やすくすることができる管理情報の印刷方法を提供することにある。
【課題を解決するための手段】
【０００６】
上記問題を解決するために、本発明の一態様は、単独で個人情報を特定できない管理情報であって、生産管理に利用される管理情報を一部に含むＵＲＬ（Ｕｎｉｆｏｒｍ  Ｒｅｓｏｕｒｃｅ  Ｌｏｃａｔｏｒ）を示す情報を、印刷媒体に印刷することを特徴とする管理情報の印刷方法である。
【０００７】
また、本発明の一態様は、上記の管理情報の印刷方法において、前記ＵＲＬを示す情報として、二次元コードを印刷媒体に印刷することを特徴とする。
【０００８】
また、本発明の一態様は、上記の管理情報の印刷方法において、前記ＵＲＬは、前記印刷媒体に対応するＷｅｂページへリダイレクトするリダイレクトサーバにアクセスするＵＲＬであることを特徴とする。
【発明の効果】
【０００９】
本発明によれば、エンドユーザからの不要な問合せを低減させることができ、印刷媒体の供給元から、管理情報の印刷に対する了承を得やすくすることができる。
【図面の簡単な説明】
【００１０】
【図１】本実施形態による情報処理システムの一例を示す構成図である。
【図２】本実施形態による情報処理システムの一例を示す機能ブロック図である。
【図３】本実施形態による対応情報記憶部のデータ例を示す図である。
【図４】本実施形態による注文情報記憶部のデータ例を示す図である。
【図５】本実施形態による情報処理システムの印刷媒体の発注処理及び印刷処理の一例を示す図である。
【図６】本実施形態による発注Ｗｅｂサーバの動作の一例を示すフローチャートである。
【図７】本実施形態による発注処理端末のディスプレイに表示されるチラシの編集画面及び入力画面の一例を示す図である。
【図８】本実施形態による情報処理システムの情報提供サーバへのアクセス処理の一例を示す図である。
【発明を実施するための形態】
【００１１】
以下、本発明の一実施形態について、図面を参照して説明する。
図１は、本実施形態による情報処理システム１の一例を示す構成図である。
図１に示すように、情報処理システム１は、情報提供サーバ２と、発注処理端末３と、発注Ｗｅｂサーバ４と、リダイレクトサーバ５と、情報処理端末６と、印刷システム７とを備えている。また、情報提供サーバ２と、発注処理端末３と、発注Ｗｅｂサーバ４と、リダイレクトサーバ５と、情報処理端末６とは、ネットワークＮＷ１を介して、互いに通信可能に接続されている。
【００１２】
ネットワークＮＷ１は、この一例において、インターネットや移動体通信網等のネットワークである。なお、ネットワークＮＷ１は、これらに限られるものではなく、イントラネットや専用回線等でもよく、それらの組み合わせによって構成される情報通信ネットワークでもよい。
本実施形態において、情報処理システム１は、発注元ユーザＣ１から受け付けられた操作に基づいて、印刷媒体の印刷情報を作成し、作成した印刷情報を印刷した印刷媒体を発注元ユーザＣ１に出荷する。ここで、印刷媒体とは、商品や役務の認知度を上昇させることや、販売数を増加させることを目的として作成される媒体であり、例えば、チラシやショップカード、ダイレクトメール、ポスター、名刺などである。なお、本実施形態では、一例として、印刷媒体が、チラシＭである場合について説明する。
【００１３】
情報処理システム１により生成（印刷）されるチラシＭには、ＱＲコード（登録商標）などの二次元コードＣＤ１が印刷されており、この二次元コードＣＤ１は、例えば、ＵＲＬ（Ｕｎｉｆｏｒｍ  Ｒｅｓｏｕｒｃｅ  Ｌｏｃａｔｏｒ）を示す情報である。ここで、二次元コードＣＤ１により表されるＵＲＬは、一部にチラシＭの管理情報を含み、リダイレクトサーバ５にアクセスするＵＲＬである。
ここで、管理情報は、単独で個人情報を特定できない情報であって、チラシＭの生産管理に利用される管理情報である。管理情報は、例えば、ロット番号、ユニークなシリアル番号、製造上の管理番号、等の文字列である。
【００１４】
情報提供サーバ２は、ウェブサイトを提供するサーバである。以下の説明では、情報提供サーバ２が提供するウェブサイトを情報提供サイトと称して説明する。この情報提供サイトは、情報提供サーバ２の記憶領域へ各種の情報を格納（アップロード）する機能を有する。この一例において、情報提供サイトは、例えば、チラシＭで広告、又は宣伝する商品に関するＷｅｂ情報を情報処理端末６に送信する。
【００１５】
発注処理端末３は、この一例において、ノートＰＣ（Ｐｅｒｓｏｎａｌ  Ｃｏｍｐｕｔｅｒ）である。発注処理端末３は、これに限られず、例えば、デスクトップＰＣやタブレットＰＣ、多機能携帯電話端末、携帯電話端末、電子書籍リーダー、ＰＤＡ（Ｐｅｒｓｏｎａｌ  Ｄｉｇｉｔａｌ  Ａｓｓｉｓｔａｎｔ）等であってもよい。本実施形態において、発注処理端末３は、発注元ユーザＣ１によって操作され、チラシＭの発注処理を実行するものとして説明する。ここで、発注元ユーザＣ１は、発注Ｗｅｂサーバ４及びリダイレクトサーバ５を運用する会社の顧客（得意先）である。
また、発注処理端末３は、発注元ユーザＣ１から受け付けられた操作に基づいて発注Ｗｅｂサーバ４が提供するウェブサイトにアクセスする。以下では、説明の便宜上、発注Ｗｅｂサーバ４が提供するウェブサイトをチラシ作成サイトと称して説明する。このチラシ作成サイトは、チラシＭ（印刷媒体）を作成及び編集する機能を有する。なお、このチラシ作成サイトの機能は、ＧＵＩ（Ｇｒａｐｈｉｃａｌ  Ｕｓｅｒ  Ｉｎｔｅｒｆａｃｅ）によって実現される。
【００１６】
発注Ｗｅｂサーバ４は、チラシ作成サイトを提供するサーバである。発注Ｗｅｂサーバ４は、チラシ作成サイトを介して発注処理端末３から受け付けられた操作に基づいてチラシＭの印刷情報を生成及び編集する。なお、チラシＭの印刷情報には、管理情報が含まれており、発注Ｗｅｂサーバ４は、管理情報を一部に含むリダイレクトサーバ５のＵＲＬを示す二次元コードＣＤ１を生成し、当該二次元コードＣＤ１を印刷情報に含める。また、発注Ｗｅｂサーバ４は、チラシＭに対応する情報提供サーバ２のＵＲＬであるリダイレクト先のＵＲＬと、当該二次元コードＣＤ１の示すＵＲＬ（以下、二次元コードＣＤ１のＵＲＬと称する）とを対応付けて、リダイレクトサーバ５に記憶させる。また、発注Ｗｅｂサーバ４は、チラシ作成サイトを介して、チラシＭの印刷の注文を受け付け、チラシＭを印刷システム７に印刷させる。なお、発注Ｗｅｂサーバ４の構成の詳細については、図２を参照して後述する。
【００１７】
リダイレクトサーバ５は、チラシＭの二次元コードＣＤ１のＵＲＬを指定した情報処理端末６からのアクセス要求に対して、当該二次元コードＣＤ１のＵＲＬに対応するリダイレクト先のＵＲＬを、要求元の情報処理端末６に送信し、チラシＭに対応するＷｅｂページへリダイレクトさせる。
【００１８】
情報処理端末６は、この一例において、タブレットＰＣや多機能携帯電話端末、携帯電話端末である。なお、情報処理端末６は、これらに限られず、二次元コードＣＤ１を読み取ることが可能な電子書籍リーダーやＰＤＡ、ノートＰＣ、デスクトップＰＣ等であってもよい。本実施形態において、情報処理端末６は、エンドユーザＣ２の所有物である場合について説明する。ここで、エンドユーザＣ２は、チラシＭが配布された顧客である。
【００１９】
また、情報処理端末６は、エンドユーザＣ２の操作により、チラシＭに印刷されている二次元コードＣＤ１を読み取り、当該二次元コードＣＤ１のＵＲＬに基づいて、リダイレクトサーバ５にアクセス要求を送信する。また、情報処理端末６は、リダイレクトサーバ５から送信されたリダイレクト先のＵＲＬ（情報提供サーバ２のＵＲＬ）に基づいて、情報提供サーバ２にアクセス要求を送信する。情報処理端末６は、情報提供サーバ２から送信されたチラシＭに対応するＷｅｂページの情報（Ｗｅｂ情報）を受信し、ディスプレイに表示させる。
【００２０】
印刷システム７は、注文されたチラシＭを生産する生産工場内に設置され、チラシＭを印刷する。印刷システム７は、チラシＭの注文を受け付けてからチラシＭを出荷するまでの生産管理を、上述した管理情報に基づいて実行する。印刷システム７は、例えば、チラシＭの出荷前に、チラシＭに印刷されている二次元コードＣＤ１を読み取り、当該二次元コードＣＤ１のＵＲＬに含まれる管理番号を取得し、注文情報との一致を確認する等の生産管理に利用する。
【００２１】
次に、図２を参照して、情報処理システム１の機能構成について説明する。
図２は、本実施形態による情報処理システム１の一例を示す機能ブロック図である。なお、図２において、説明の便宜上、情報提供サーバ２の記載を省略している。
図２に示すように、発注Ｗｅｂサーバ４は、記憶部４１と、通信部４２と、制御部４３とを備えている。
【００２２】
記憶部４１は、発注Ｗｅｂサーバ４が処理する各種情報を記憶する。記憶部４１は、例えば、生成されたチラシＭの印刷情報、チラシＭの注文情報、及びリダイレクトするための対応情報などを記憶する。
通信部４２は、外部の装置とネットワークＮＷ１を介して通信する。
【００２３】
制御部４３は、例えば、ＣＰＵ（Ｃｅｎｔｒａｌ  Ｐｒｏｃｅｓｓｉｎｇ  Ｕｎｉｔ）を含むプロセッサなどであり、発注Ｗｅｂサーバ４を統括的に制御する。制御部４３は、入力情報取得部４３１と、画面生成部４３２と、チラシ生成部４３３と、対応情報生成部４３４と、通信制御部４３５とを備えている。
【００２４】
入力情報取得部４３１は、画面生成部４３２により生成された入力画面を介して発注処理端末３から入力された入力情報を、通信部４２を介して取得する。この発注処理端末３から入力された入力情報とは、例えば、チラシＭに対応し、エンドユーザＣ２に商品の情報を提供するＷｅｂページのＵＲＬ（情報提供サーバ２のＵＲＬ）、注文枚数などである。
【００２５】
画面生成部４３２は、通信部４２を介して発注処理端末３から取得された要求に応じて、チラシ作成サイトに係る各種の画面（ＧＵＩ）を生成する。また、画面生成部４３２は、通信部４２を介して受け付けられた発注処理端末３からの操作に応じて、チラシＭに対応するＵＲＬ、及び発注枚数を入力する入力画面（ＧＵＩ）を生成する。
【００２６】
チラシ生成部４３３は、通信部４２を介して受け付けられた発注処理端末３からの操作に応じて、チラシＭの印刷情報を生成及び編集する。チラシ生成部４３３は、チラシＭに対応する管理情報を含むリダイレクトサーバ５のＵＲＬを生成する。例えば、リダイレクトサーバ５のドメインが“ｈｔｔｐ：／／ａｂｃｄ１．ｃｏｍ”であり、チラシＭの管理情報が“ａｂｃ０００１”である場合、チラシ生成部４３３は、チラシＭに対応するＵＲＬとして、ｈｔｔｐ：／／ａｂｃｄ１．ｃｏｍ／ａｂｃ０００１／”を生成する。チラシ生成部４３３は、生成した当該ＵＲＬを二次元コードＣＤ１に変換して、印刷情報に含める。なお、チラシＭの管理情報は、複数枚を１つのロット（生産ロット）とするロット単位に不要されてもよいし、チラシＭの１枚に対して１つの管理情報が付与されてもよい。
また、チラシ生成部４３３は、通信制御部４３５を介して、チラシＭの注文情報及び印刷情報を印刷システム７に送信し、印刷システム７にチラシＭを製造（印刷）させる。
【００２７】
対応情報生成部４３４は、入力情報取得部４３１によって取得したＷｅｂページのＵＲＬ（情報提供サーバ２のＵＲＬ）と、チラシ生成部４３３が生成したリダイレクトサーバ５のＵＲＬとを対応付けた対応情報を生成し、通信制御部４３５を介して、当該対応情報をリダイレクトサーバ５に送信する。
【００２８】
通信制御部４３５は、画面生成部４３２により生成された画面（ＧＵＩ）を発注処理端末３に送信するように通信部４２を制御する。また、通信制御部４３５は、対応情報生成部４３４が生成した対応情報をリダイレクトサーバ５に送信するように通信部４２を制御する。また、通信制御部４３５は、チラシＭの注文情報及び印刷情報を、印刷システム７に送信するように通信部４２を制御する。
【００２９】
リダイレクトサーバ５は、対応情報記憶部５１を備え、発注Ｗｅｂサーバ４から送信された対応情報を対応情報記憶部５１に記憶させる。
対応情報記憶部５１は、例えば、図３に示すように、「リダイレクト先のＵＲＬ」と、「二次元コードのＵＲＬ」とを対応付けて記憶する。
図３は、本実施形態による対応情報記憶部５１のデータ例を示す図である。図３に示す例では、「二次元コードのＵＲＬ」の“ｈｔｔｐ：／／ａｂｃｄ１．ｃｏｍ／ａｂｃ０００１／”に対応する「リダイレクト先のＵＲＬ」が“ｈｔｔｐ：／／ｘｘｘ．ｎｅ．ｊｐ／”であることを示している。なお、図３に示す例では、チラシＭごとに異なる管理情報が付与されている場合の一例である。
【００３０】
印刷システム７は、例えば、専用のネットワークなどにより発注Ｗｅｂサーバ４と接続されており、注文情報記憶部７１と、印刷装置７２とを備えている。印刷システム７は、発注Ｗｅｂサーバ４から送信された注文情報及び印刷情報を、注文情報記憶部７１に記憶させる。また、印刷システム７は、注文情報記憶部７１が記憶する注文情報及び印刷情報に基づいて、チラシＭを印刷装置７２に印刷させる。
【００３１】
注文情報記憶部７１は、注文情報と、印刷情報とを記憶する。注文情報記憶部７１は、例えば、図４に示すように、少なくとも「注文日」と、「納入先」と、「印刷情報」と、「注文枚数」と、「管理情報」とを対応付けた注文情報を記憶している。注文情報記憶部７１は、注文情報のデータベースとして機能する。
図４は、本実施形態による注文情報記憶部７１のデータ例を示す図である。ここで、「注文日」は、発注Ｗｅｂサーバ４によって注文を受注した日付を示し、「納入先」は、発注元の会社を示す情報を示している。また、「印刷情報」は、例えば、チラシＭの印刷情報を特定する情報（例えば、印刷情報のファイル名など）を示し、「注文枚数」は、当該注文によるチラシＭの印刷枚数を示している。また、「管理情報」は、当該注文のチラシＭに付与されや管理情報を示している。
【００３２】
図４に示す例では、「注文日」が“２０１５−ＸＸ−ＸＸ”の注文の「納入先」が“ｘｘｘ会社”であり、「印刷情報」が“ａｂｃｘｘ”、「注文枚数」が“１００”枚であることを示している。また、当該注文に付与された管理情報が“ａｂｃ０００１〜ａｂｃ０１００”であることを示している。
【００３３】
次に、図面を参照して、本実施形態による情報処理システム１の動作について説明する。
図５は、本実施形態による情報処理システム１の印刷媒体（チラシＭ）の発注処理及び印刷処理の一例を示す図である。
【００３４】
図５において、まず、発注元ユーザＣ１によって操作された発注処理端末３が、発注Ｗｅｂサーバ４にログインし、チラシ作成サイトを介して発注情報を発注Ｗｅｂサーバ４に送信する（ステップＳ１０１）。
発注Ｗｅｂサーバ４は、チラシ作成サイトを介してチラシＭを生成する（ステップＳ１０２）。すなわち、発注Ｗｅｂサーバ４のチラシ生成部４３３は、チラシ作成サイトを介して発注処理端末３から受け付けられた操作に基づいてチラシＭの印刷情報を生成及び編集する。なお、発注Ｗｅｂサーバ４によるチラシＭの印刷情報を生成及び編集する処理の詳細については後述する。
【００３５】
次に、発注Ｗｅｂサーバ４は、対応情報を生成する（ステップＳ１０３）。すなわち、発注Ｗｅｂサーバ４の対応情報生成部４３４は、入力情報取得部４３１によって取得したＷｅｂページのＵＲＬ（情報提供サーバ２のＵＲＬ）と、チラシ生成部４３３が生成したリダイレクトサーバ５のＵＲＬとを対応付けた対応情報を生成する。
次に、発注Ｗｅｂサーバ４は、生成した対応情報をリダイレクトサーバ５に送信する（ステップＳ１０４）。すなわち、対応情報生成部４３４は、生成した対応情報を、通信制御部４３５を介してリダイレクトサーバ５に送信する。
【００３６】
次に、リダイレクトサーバ５は、受信した対応情報を、例えば、図３に示すように、対応情報記憶部５１に記憶させる（ステップＳ１０５）。
次に、発注Ｗｅｂサーバ４は、印刷情報及び注文情報を印刷システム７に送信する（ステップＳ１０６）。
印刷システム７は、注文情報記憶部７１に印刷情報及び注文情報を記憶させる（ステップＳ１０７）。
【００３７】
次に、印刷システム７は、チラシ印刷処理を実行する（ステップＳ１０８）。すなわち、印刷システム７の印刷装置７２は、注文情報記憶部７１が記憶する印刷情報及び注文情報に基づいて、チラシＭを印刷する。ここで、印刷装置７２は、生産管理を行うために、“ｈｔｔｐ：／／ａｂｃｄ１．ｃｏｍ／ａｂｃ０００１／”のように、個人情報と疑われる可能性の低いＵＲＬの情報に管理情報（“ａｂｃ０００１”）を紛れ込ませて、当該管理情報を含むＵＲＬを示す情報をチラシＭ（印刷媒体）に印刷する。なお、印刷装置７２は、当該管理情報を含むＵＲＬを示す情報として、例えば、ＯＣＲ（Ｏｐｔｉｃａｌ  Ｃｈａｒａｃｔｅｒ  Ｒｅｃｏｇｎｉｔｉｏｎ）などの機械的に読取可能な文字列を印字してもよいし、当該管理情報を含むＵＲＬを変換した二次元コードＣＤ１を印刷してもよい。
【００３８】
次に、印刷システム７は、出荷前確認処理を実行する（ステップＳ１０９）。印刷システム７は、例えば、出荷前のチラシＭに印刷されている二次元コードＣＤ１を読み取り、二次元コードＣＤ１の示すＵＲＬに含まれる管理情報を抽出する。印刷システム７は、例えば、ＵＲＬの後ろ所定数の文字列を管理情報として抽出してもよいし、所定の文字（例えば、“／”）の後の文字列を管理情報として抽出してもよい。印刷システム７は、抽出した管理情報と、注文情報記憶部７１が記憶する当該チラシＭに対応する管理情報（又は、処理伝票に記載の管理情報とを突合（比較）して、出荷に誤りがないか（誤配送がないか）を確認する。
【００３９】
また、例えば、チラシＭに管理情報としてシリアル番号が付与されている場合には、印刷システム７は、印刷されたチラシＭの束の一番上（最初）の一枚の管理情報と、一番下（最後）の一枚の管理情報とを抽出し、誤配送の確認とともに、出荷枚数の確認を実行してもよい。
このように、本実施形態による情報処理システム１（印刷システム７）では、チラシＭに印刷された管理情報に基づいて、生産管理に関連した管理処理を実行する。
次に、印刷システム７は、印刷されたチラシＭを、発注元に出荷する（ステップＳ１１０）。
【００４０】
次に、図６及び図７を参照して、本実施形態によるチラシＭの発注処理の詳細について説明する。
図６は、本実施形態による発注Ｗｅｂサーバ４の動作の一例を示すフローチャートである。以下では、説明の便宜上、チラシＭの作成（編集）画面（ＧＵＩ）がすでに発注処理端末３に表示されている状態であるものとして説明する。
【００４１】
図６に示すように、まず、発注Ｗｅｂサーバ４の入力情報取得部４３１は、印刷製品（チラシＭ）の選択操作を受け付ける（ステップＳ２０１）。入力情報取得部４３１は、印刷製品（チラシＭ）の選択操作を受け付け、チラシ生成部４３３は、受け付けた操作に応じて、チラシＭの印刷情報を生成及び編集する。
また、入力情報取得部４３１は、発注処理端末３からチラシＭに対応する情報提供サーバ２のＵＲＬを取得する（ステップＳ２０２）。
また、入力情報取得部４３１は、発注処理端末３から発注枚数情報を取得する（ステップＳ２０３）。
【００４２】
次に、チラシ生成部４３３は、印刷情報を生成する（ステップＳ２０４）。チラシ生成部４３３は、生成及び編集された印刷情報を確定するとともに、管理情報を含むＵＲＬ（リダイレクトサーバ５のＵＲＬ）を、取得した情報提供サーバ２のＵＲＬの代わりに付与し、当該管理情報を含むＵＲＬを二次元コードＣＤ１にして、印刷情報に追加する。ここで、管理情報が、シリアル番号である場合には、チラシ生成部４３３は、発注枚数分の印刷情報を生成する。
【００４３】
次に、対応情報生成部４３４は、対応情報を生成する（ステップＳ２０５）。すなわち、対応情報生成部４３４は、取得した情報提供サーバ２のＵＲＬ（リダイレクト先のＵＲＬ）と、管理情報を含むＵＲＬ（リダイレクトサーバ５のＵＲＬ）とを対応付けた対応情報を生成する。ここで、管理情報が、シリアル番号である場合には、対応情報生成部４３４は、発注枚数分の対応情報を生成する。
【００４４】
次に、対応情報生成部４３４は、生成した対応情報をリダイレクトサーバ５に送信する（ステップＳ２０６）。すなわち、対応情報生成部４３４は、生成した対応情報を、リダイレクトサーバ５の対応情報記憶部５１に記憶させる。
次に、チラシ生成部４３３は、生成した印刷情報、及び注文情報を、印刷システム７に送信する（ステップＳ２０７）。すなわち、チラシ生成部４３３は、生成した印刷情報、及び注文情報を印刷システム７の注文情報記憶部７１に記憶させ、当該印刷情報、及び注文情報に基づいて、印刷装置７２にチラシＭを印刷させる。
【００４５】
ここで、図７を参照して、発注処理端末３のディスプレイに表示されるチラシＭの編集画面及び入力画面について説明する。
図７は、発注処理端末３のディスプレイに表示されるチラシＭの編集画面及び入力画面の一例を示す図である。
【００４６】
図７において、画面Ｐは、発注処理端末３のディスプレイに表示された編集画面である。編集画面Ｐ上には、チラシＭの印刷予定のイメージ画面Ｐ１が表示されている。イメージ画面Ｐ１には、二次元コードＣＤ１が設けられている。例えば、発注元ユーザＣ１がマウス等によってカーソルを移動させ、この二次元コードＣＤ１を選択（クリック）すると、図７に示したように入力画面Ｐ２が表示される。この入力画面Ｐ２は、発注Ｗｅｂサーバ４の画面生成部４３２が生成し、発注処理端末３に表示させる。
【００４７】
入力画面Ｐ２は、イメージ画面Ｐ１を見た人にアクセスさせたい所望のＵＲＬ（情報提供サーバ２のＵＲＬ）を入力するＵＲＬ入力欄ＥＢ１及び確定ボタンＢ１を含んでいる。発注元ユーザＣ１がＵＲＬ入力欄ＥＢ１に、所望のＵＲＬ（情報提供サーバ２のＵＲＬ）を入力した後に、確定ボタンＢ１をクリックすると、発注処理端末３は、当該ＵＲＬ（情報提供サーバ２のＵＲＬ）を発注Ｗｅｂサーバ４に送信する。
【００４８】
また、入力画面Ｐ３は、チラシＭの発注枚数を入力する発注枚数欄ＥＢ２及び確定ボタンＢ２を含んでいる。発注元ユーザＣ１が発注枚数欄ＥＢ２に、所望の発注枚数を入力した後に、確定ボタンＢ２をクリックすると、発注処理端末３は、当該Ｕ発注枚数を示す発注枚数情報を発注Ｗｅｂサーバ４に送信する。
【００４９】
次に、図８を参照して、情報処理システム１による情報提供サーバ２へのアクセス処理の一例を示す図である。
図８は、本実施形態による情報処理システム１の情報提供サーバ２へのアクセス処理の一例を示す図である。
図８に示すように、チラシＭを配布されたエンドユーザＣ２によって操作させて、情報処理端末６は、まず、二次元コードＣＤ１を読み込む（ステップＳ３０１）。すなわち、情報処理端末６は、チラシＭに印刷されている二次元コードＣＤ１を、例えば、情報処理端末６に内蔵されているカメラなどにより読み取る。
【００５０】
次に、情報処理端末６は、読み取った二次元コードＣＤ１をＵＲＬに変換する（ステップＳ３０２）。ここでのＵＲＬは、管理情報を含むＵＲＬであって、リダイレクトサーバ５にアクセスするためのＵＲＬである。
次に、情報処理端末６は、二次元コードＣＤ１のＵＲＬ（例えば、図３に示す“ｈｔｔｐ：／／ａｂｃｘｘ．ｃｏｍ／ａｂｃ０００１／”）に基づいて、リダイレクトサーバ５にアクセス要求を送信する（ステップＳ３０３）。
【００５１】
次に、リダイレクトサーバ５は、リダイレクト先のＵＲＬを取得する（ステップＳ３０４）。すなわち、リダイレクトサーバ５は、対応情報記憶部５１からアクセス要求のＵＲＬ（“ｈｔｔｐ：／／ａｂｃｘｘ．ｃｏｍ／ａｂｃ０００１／”）に対応するリダイレクト先のＵＲＬ（“ｈｔｔｐ：／／ｘｘｘ．ｎｅ．ｊｐ／”）を取得する。
次に、リダイレクトサーバ５は、リダイレクト先のＵＲＬを、アクセス要求元である情報処理端末６に送信する（ステップＳ３０５）。すなわち、リダイレクトサーバ５は、リダイレクト先のＵＲＬ（“ｈｔｔｐ：／／ｘｘｘ．ｎｅ．ｊｐ／”）を情報処理端末６に送信する。
【００５２】
次に、情報処理端末６は、受信したリダイレクト先のＵＲＬ（“ｈｔｔｐ：／／ｘｘｘ．ｎｅ．ｊｐ／”）に基づいて、情報提供サーバ２にアクセス要求を送信する（ステップＳ３０６）。
次に、情報提供サーバ２は、アクセス要求のＵＲＬ（“ｈｔｔｐ：／／ｘｘｘ．ｎｅ．ｊｐ／”）に対応するＷｅｂ情報を情報処理端末６に送信する（ステップＳ３０７）。
次に、情報処理端末６は、Ｗｅｂ情報をディスプレイに表示する（ステップＳ３０８）。これにより、情報処理端末６は、チラシＭに対応するＷｅｂ情報をディスプレイに表示し、エンドユーザＣ２は、チラシＭに対応するＷｅｂ情報を見ることができる。
【００５３】
以上説明したように、本実施形態による管理情報の印刷方法は、単独で個人情報を特定できない管理情報であって、生産管理に利用される管理情報を一部に含むＵＲＬを示す情報を、印刷媒体（例えば、チラシＭ）に印刷する。
これにより、エンドユーザＣ２が個人情報であると誤解し難いＵＲＬに管理情報を含めるようにしたので、本実施形態による管理情報の印刷方法は、エンドユーザＣ２からの不要な問合せ（例えば、個人情報の流出を懸念した問合せ）を低減させることができる。よって、本実施形態による管理情報の印刷方法は、印刷媒体の供給元（発注元）から管理情報の印刷に対する承認を得やすくすることができる。
【００５４】
また、本実施形態による管理情報の印刷方法は、管理情報を一部に含むＵＲＬから管理情報を取得することで、管理情報を利用した効率の良い生産管理を実現することができる。例えば、印刷媒体に印刷されているＵＲＬから取得した管理情報と、管理情報に対応する注文情報、生産情報などとにより、出荷枚数及び出荷先の確認、生産日時、場所、製造装置、及び製造工程の確認、等の生産管理を効率良く実行することができる。
【００５５】
また、本実施形態では、管理情報を一部に含むＵＲＬを示す情報として、二次元コードＣＤ１を印刷媒体に印刷する。
これにより、エンドユーザＣ２が印刷媒体から管理情報を一部に含むＵＲＬを、直接視認することが困難になるため、本実施形態による管理情報の印刷方法は、さらに、エンドユーザＣ２からの不要な問合せを低減させることができる。
【００５６】
また、本実施形態では、管理情報を一部に含むＵＲＬは、印刷媒体に対応するＷｅｂページへリダイレクトするリダイレクトサーバ５にアクセスするＵＲＬである。
これにより、本実施形態による管理情報の印刷方法では、エンドユーザＣ２が情報処理端末６を利用して、管理情報を一部に含むＵＲＬにアクセスすることにより、管理情報を意識せずに、印刷媒体に対応するＷｅｂページのＷｅｂ情報を適切に取得することが可能になる。また、本実施形態による管理情報の印刷方法では、リダイレクトサーバ５により、アクセス要求があった管理情報を一部に含むＵＲＬを集計することで、印刷媒体による宣伝効果を評価することができる。
【００５７】
また、本実施形態による情報処理システム１では、発注Ｗｅｂサーバ４が、発注元ユーザＣ１の注文に応じて、管理情報を一部に含むＵＲＬを付加した印刷情報を生成し、印刷システム７の印刷装置７２が、当該印刷情報に基づいて、管理情報を一部に含むＵＲＬを、印刷媒体（例えば、チラシＭ）に印刷する。
これにより、本実施形態による情報処理システム１は、上述した本実施形態による管理情報の印刷方法と同様に、エンドユーザＣ２からの不要な問合せ（例えば、個人情報の流出を懸念した問合せ）を低減させて、印刷媒体の供給元（発注元）から管理情報の印刷に対する承認を得やすくすることができる。
【００５８】
また、本実施形態による生産管理方法では、印刷ステップと、管理ステップとを含んでいる。印刷ステップにおいて、単独で個人情報を特定できない管理情報であって、生産管理に利用される管理情報を一部に含むＵＲＬを示す情報を、印刷媒体（例えば、チラシＭ）に印刷する。管理ステップにおいて、印刷媒体に印刷されている管理情報を一部に含むＵＲＬから管理情報を取得し、当該管理情報に基づいて、生産管理を実行する。
これにより、本実施形態による生産管理方法は、個人情報の流出を懸念した問合せ）を低減させつつ、適切な生産管理を行うことができる。
【００５９】
なお、本発明は、上記の実施形態に限定されるものではなく、本発明の趣旨を逸脱しない範囲で変更可能である。
例えば、上記の実施形態において、一例として、管理情報を一部に含むＵＲＬを示す情報が、二次元コードである場合について説明したが、これに限定されるものではなく、ＯＣＲ可能な文字列であってもよいし、識別ＩＤやバーコード、カラービット（登録商標）等の一次元コードであってもよい。また、二次元コードは、ＱＲコード（登録商標）に限定されるものではなく、他の方式の二次元コードであってもよい。また、当該ＵＲＬを示す情報は、機械的に読取可能な印刷であることが望ましく、紫外線により蛍光するインクにより通常は視認できないように印刷されてもよい。
【００６０】
また、上記の実施形態において、管理情報は、チラシＭの一枚ごとに異なる情報が不要される例を説明したが、これに限定されるものではなく、例えば、製造ロットごと、製造日時ごと、製造工場ごと、等で異なる情報が付与されてもよい。また、管理情報は、これらを組み合わせた複数の管理情報を含むようにしてもよい。
【００６１】
また、上記の実施形態において、一例として、印刷媒体が、チラシＭである場合について説明したが、例えば、商品カタログ、ショップカード、ダイレクトメール、ポスター、名刺などの他の媒体であってもよい。また、本発明は、印刷媒体に限定されるものではなく、携帯電話やＰＣのディスプレイに表示させる広告媒体に適用してもよい。広告媒体は、情報処理端末６等の電子媒体で表示可能な電子データ等であってもよい。
【００６２】
また、上記の実施形態において、管理情報を一部に含むＵＲＬには、チラシＭの発注元とは関係のないドメイン名を付与しているが、チラシＭの発注元に関連するドメイン名を付与するようにしてもよい。これにより、エンドユーザＣ２が、ＵＲＬがチラシＭの発注元のものでないと疑う可能性を低減させるので、さらにエンドユーザＣ２からの不要な問合せを低減させることができる。
【００６３】
なお、上述した情報処理システム１が備える各構成（例えば、発注Ｗｅｂサーバ４、及びリダイレクトサーバ５）は、内部に、コンピュータシステムを有している。そして、上述した情報処理システム１が備える各構成の機能を実現するためのプログラムをコンピュータ読み取り可能な記録媒体に記録して、この記録媒体に記録されたプログラムをコンピュータシステムに読み込ませ、実行することにより上述した情報処理システム１が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【００６４】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に情報処理システム１が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００６５】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【００６６】
１…情報処理システム、２…情報提供サーバ、３…発注処理端末、４…発注Ｗｅｂサーバ、５…リダイレクトサーバ、６…情報処理端末、７…印刷システム、４１…記憶部、４２…通信部、４３…制御部、５１…対応情報記憶部、７１…注文情報記憶部、７２…印刷装置、４３１…入力情報取得部、４３２…画面生成部、４３３…チラシ生成部、４３４…対応情報生成部、４３５…通信制御部、Ｃ１…発注元ユーザ、Ｃ２…エンドユーザ、ＣＤ１…二次元コード、Ｍ…チラシ、ＮＷ１…ネットワーク
【図１】
2017102779.tif 000003
【図２】
2017102779.tif 000004
【図３】
2017102779.tif 000005
【図４】
2017102779.tif 000006
【図５】
2017102779.tif 000007
【図６】
2017102779.tif 000008
【図７】
2017102779.tif 000009
【図８】
2017102779.tif 000010